(57)【要約】【課題】魚を釣るまでは取り扱い易く、且つ、魚を掛けたときに取り込み易く、従来のステンレス製テンビンと、形状記憶合金製テンビンの両方の長所を有して、保管や持ち運びに便利で、かつ、使い易い釣仕掛用テンビンを提供する。【解決手段】腕部と軸部とを具えたテンビンであって、その腕部と軸部が異種及び／又は異号の線材で形成されたことを特徴とする。また、腕部に軟質の形状記憶合金製線材を使用し、軸部にステンレス等の硬質の線材を使用することができる。また、腕部と軸部に分割された線材を用い、それら分割された線材を一体に組み付けられて形成することができる。【選択図】        図１
2004187542.tif 000002
【特許請求の範囲】
【請求項１】
腕部と軸部とを具えたテンビンであって、その腕部と軸部が異種及び／又は異号の線材で形成されたことを特徴とする釣仕掛用テンビン。
【請求項２】
腕部に軟質の形状記憶合金製線材が使用され、軸部にステンレス等の硬質の線材が使用された請求項１記載の釣仕掛用テンビン。
【請求項３】
腕部と軸部に分割された線材が用いられ、それら分割された線材が一体に組み付けられて形成された請求項１又は２記載の釣仕掛用テンビン。
【発明の詳細な説明】
【０００１】
【発明の属する技術分野】
本発明は、釣りの仕掛に用いるテンビンに関する。
【０００２】
【従来の技術】
従来の一般的なテンビンは、図３に示すように、１本の線材を曲げ加工して軸部１０と腕部１１とが形成されている。なお、符号１２は被覆部材である。また、このような構造のものは特許文献１にも記載されている。
【０００３】
【特許文献１】
実開平３−８３０７２号公報（第１図）
【０００４】
テンビンは、本来、糸のモツレを防止するものであるが、魚の引きを吸収する役割も有している。そして、テンビンの素材としては、硬質で魚の引きを吸収しやすいステンレスが多く用いられている。
【０００５】
また、最近は、軟質で強度もあるチタン系の形状記憶合金を用いた細身のテンビンも使用されている。
【０００６】
ところで、テンビンの素材は、魚を釣るまでの取り扱い易さと、魚を掛けてからの取り込み易さを考慮して選択する必要がある。
【０００７】
実際に魚を掛けて船べりで取り込む際は、テンビンを掴んでその下の仕掛を取り込んでいくが、そのときは、チタン系で細身の形状記憶合金製テンビンよりも太くて握り易いステンレス製テンビンの方が取り扱い易い。また、硬質のステンレス製テンビンの方が曲がりにくいので、この点からも握り易くて、不意な魚の突っ込みなどにも対応しやすい。
【０００８】
しかしながら、ステンレス製のテンビンは、保管や持ち運びに不便であるというデメリットがあり、小型化する傾向にある。そして、小型化することにより取り扱いにくくなる。
【０００９】
これに対し、チタン系の形状記憶合金製テンビンは、小さく折畳むように変形できるので、保管や持ち運びに便利であるが、軟質なので、長くした場合に取り扱いにくく、使いにくい。すなわち、ステンレス製テンビンにも、チタン系の形状記憶合金製テンビンにも、それぞれ一長一短がある。したがって、魚を釣るまでは取り扱い易く、且つ、魚を掛けたときに取り込み易いテンビンを形成することは困難であった。
【００１０】
【発明が解決しようとする課題】
本発明は、魚を釣るまでは取り扱い易く、且つ、魚を掛けたときに取り込み易く、従来のステンレス製テンビンと、形状記憶合金製テンビンの両方の長所を有して、保管や持ち運びに便利で、かつ、使い易い釣仕掛用テンビンの提供を課題とする。
【００１１】
【課題を解決するための手段】
上記課題を解決するために、本発明の釣仕掛用テンビンは、腕部と軸部とを具えたテンビンであって、その腕部と軸部が異種及び／又は異号の線材で形成されるように構成したものである。
【００１２】
そして、本発明の釣仕掛用テンビンは、腕部に軟質の形状記憶合金製線材が使用され、軸部にステンレス等の硬質の線材が使用された構成にすることもできる。
【００１３】
また、本発明の釣仕掛用テンビンは、腕部と軸部に分割された線材が用いられ、それら分割された線材が一体に組み付けられて形成された構成にすることができる。
【００１４】
【発明の実施の形態】
以下、図１及び図２に示した実施例に基づき本発明の実施の形態について説明する。まず、本発明のテンビンは、腕部１と軸部２とを具えている。軸部２は上下方向にほぼ真直で、その上端と下端にそれぞれリング３，４を形成することができる。上端のリング３には縒り取り機能を有する連結具などを介して道糸を繋ぐことができる。また、下端のリング４には連結具を介して、又は直にコマセカゴやオモリなどを連結可能としている。
【００１５】
腕部１は軸部２から横方向へ突出し、その先端にリング５を形成することができる。このリング５には縒り取り機能を有する連結具などを介してハリスなどを接続可能としている。
【００１６】
腕部１と軸部２は共に金属製の線材で形成されている。これらの線材は互いに異種及び／又は異号としている。すなわち、腕部１に使用する線材の素材と、軸部２に使用する線材の素材を異ならせるか、又は、腕部１に使用する線材の太さ（線径）と、軸部２に使用する線材の太さ（線径）を異ならせるか、又は、腕部１に使用する線材と、軸部２に使用する線材の素材及び太さの両方を異ならせることができる。なお、線材は丸線でも平線でもよい。
【００１７】
腕部１に用いる線材と、軸部２に用いる線材の、素材及び太さの組み合わせは自由であり、種々のバリエーションの中から自由に選択することができる。その場合、腕部１と軸部２の硬度と太さのバランスを調整して、ターゲットにする魚に適した設計にすることができる。
【００１８】
腕部１に用いる線材としては、軟質の形状記憶合金製のものが好ましい。例えば、チタン系形状記憶合金製のものが好適である。保管時や持ち運ぶ時などに、容易にコンパクトな形状に変形できるからである。
【００１９】
また、軸部２に用いる線材としては、硬質で剛性にすぐれ、高強度のもの、例えば、ステンレス製のものが好ましい。軸部２はオモリ等の負荷が作用して疲労しやすく、耐久性が要求されるからである。
【００２０】
図２に示すように、腕部１に用いる線材と、軸部２に用いる線材は、連続したものではなく、分割されたものを用いている。したがって、腕部１と軸部２のカラーリングを変えて付加価値を高めることができ、又、片方だけを塗装する部分塗装の場合にマスキングなども不要になる。
【００２１】
軸部２と腕部１は一体化されている。すなわち、軸部２と腕部１における縦軸部６とが合わせられて、その外周部を、糸、スリーブ、収縮チューブ又は強化チューブなどの被覆部材７で覆って圧着、固定されている。
【００２２】
【発明の効果】
テンビンの腕部と軸部には異なる特性及び強度が要求されるが、従来のテンビンは、１種類の線材だけで腕部と軸部を形成していたので、その要求に応えることができなかった。例えば、強度を得るために軸部を太く且つ硬い素材で形成しようとすると、腕部も太く且つ硬くせざるを得ず、腕部が魚のアタリを感知しにくくなる等の弊害があった。また、逆に、腕部を曲げやすいように軟らかく且つ細くしようとすると、軸部も軟らかく且つ細くせざるを得ず、負荷の大きい軸部が破損しやすく耐久性がなくなるという弊害があった。
これに対し、請求項１記載の本発明の釣仕掛用テンビンは、腕部と軸部の素材や線径をそれぞれに適したものにできるので、腕部及び軸部に、それぞれに要求される特性や強度を具備させることができる。これにより、魚を釣るまでは取り扱い易く、且つ、魚を掛けたときに取り込み易くすることができる。
また、請求項２記載の本発明の釣仕掛用テンビンは、腕部に軟質の形状記憶合金製線材を使用し、軸部にステンレス等の硬質の線材を使用することにより、腕部を不使用時に小さく折畳むように変形させることができるので、保管や持ち運びに便利であり、且つ、軸部に十分な耐久性を持たせることができる。
また、請求項３記載の本発明の釣仕掛用テンビンは、腕部と軸部に分割された線材を用いることにより、腕部と軸部のカラーリングを変えて付加価値を高めることができ、又、片方だけを塗装する部分塗装の場合にマスキングなども不要になる。また、特に軸部の負荷や疲労が大きく、部分的な補強、劣化対策が必要であるが、腕部と軸部に分割された線材を用いることによりこれも可能となって、軸部の耐久性を向上させることができる。また、軸部を被覆部材で覆う場合、例えばチューブに挿入する場合や、部分的に塗装する場合も、従来品のように１本の線材から曲げ加工により形成したものに比べ、これらの作業がやりやすいというメリットがある。
【図面の簡単な説明】
【図１】断面図である。
【図２】分解側面図である。
【図３】従来例の断面図である。
【符号の説明】
１  腕部
２  軸部
３  リング
４  リング
５  リング
６  縦軸部
７  被覆部材
１０  軸部
１１  腕部
１２  被覆部材
【図１】
2004187542.tif 000003
【図２】
2004187542.tif 000004
【図３】
2004187542.tif 000005